(57)【要約】【課題】垂直フレームへの水平フレームの取付け・取り外しが簡単であり、かつ、取付け強度の強いフレーム構体の実現。【解決手段】図は、垂直フレームへ水平フレームを取り付ける状態を裏側から見た図であり、垂直フレームの所定位置に形成されている一対の係合孔２４１，２４２に、アタッチメント１９の係合片１９１，１９２を装着すると、これらの係合片は、図に示されるように、係合孔の中央部に下向きに形成されている切り欠け部に嵌合する。次に、アタッチメントの後部側壁１９５が、水平フレーム１７の切り欠け部１７２に嵌入するように、水平フレームの下側板１７１をアタッチメント内部に挿入しつつ水平フレームをアタッチメントに装着する。最後に、ロックピン２３を、アタッチメントの開口１９３，１９４及び係合孔２４２を貫通させて、アタッチメントの装着状態及び水平フレームの装着状態を完全に固定する。【選択図】　　図１
2004144274.tif 000002
【特許請求の範囲】
【請求項１】
（１）所定位置に形成された１対の係合孔を有する垂直フレームと、
（２）筐体状の本体と、該本体の前部に形成された１対の係合片と、該１対の係合片のうちの一方の係合片に隣接して前記前部に形成された第１の開口と、該第１の開口に対応して前記本体の後部に形成された第２の開口と、前記本体の側面部に形成された第３の開口とを備え、かつ、前記１対の係合片を前記垂直フレームの１対の係合孔に係合させることにより、前記垂直フレームに装着可能であるアタッチメントと、
（３）端部が下方へ折り曲げられた縁部を有する上側板と、側面板と、下側板とを有し、該下側板を前記アタッチメントの第３の開口に嵌入させて該アタッチメントに装着可能な水平フレームと、
を備えたフレーム構体において、
前記１対の係合片は、それぞれ前方部分の幅が、付け根部分の幅よりも大きく設定されるとともに、前記１対の係合孔は、それぞれの中央部に前記付け根部分の幅に対応する切り欠け部を有することにより、前記アタッチメントを前記垂直フレームに装着したときに、前記１対の係合片のそれぞれの付け根部分が前記１対の係合孔のそれぞれの中央部の切り欠け部に嵌合され、
かつ、
前記垂直フレームに装着されたアタッチメントに前記水平フレームを装着したのち、更に、ロックピンを、前記第１および第２の開口並びに前記一方の係合片が嵌合している切り欠け部を有する係合孔を挿通させることにより、垂直フレームへのアタッチメントの装着状態およびアタッチメントへの水平フレームの装着状態を固定することを特徴とするフレーム構体。
【請求項２】
請求項１に記載のフレーム構体において、前記１対の係合孔は、水平方向に平行に形成されていることを特徴とするフレーム構体。
【請求項３】
請求項１に記載のフレーム構体において、前記１対の係合孔は、垂直方向に平行に形成されていることを特徴とするフレーム構体。
【請求項４】
（１）所定位置に形成された１対の垂直方向の係合孔を有する垂直フレームと、
（２）筐体状の本体と、該本体の前部に形成された１対の係合片と、前記本体の側面部に形成された開口とを備え、かつ、前記１対の係合片を前記垂直フレームの１対の係合孔に係合させることにより、前記垂直フレームに装着可能であるアタッチメントと、
（３）端部が下方へ折り曲げられた縁部を有する上側板と、側面板と、下側板とを有し、該下側板を前記アタッチメントの開口に嵌入させて該アタッチメントに装着可能な水平フレームと、
を備えたフレーム構体において、
前記１対の係合片は、それぞれ前方部分の幅が、付け根部分の幅よりも大きく設定されるとともに、前記１対の係合孔は、それぞれの中央部に前記付け根部分の幅に略等しい切り欠け部を有することにより、前記アタッチメントを前記垂直フレームに装着したときに、前記１対の係合片のそれぞれの付け根部分が前記１対の係合孔のそれぞれの中央部の切り欠け部に嵌合され、
かつ、
前記垂直フレームに装着されたアタッチメントに前記水平フレームを装着したのち、更に、ロックピンを、前記水平フレームの側面板の外側面に接触させつつ、前記一対の係合孔のうちの一方の係合孔に挿通させることにより、前記水平フレームの側面板の内側面をアタッチメントに強く圧接させて、垂直フレームへのアタッチメントの装着状態およびアタッチメントへの水平フレームの装着状態を固定することを特徴とするフレーム構体。
【請求項５】
請求項４に記載のフレーム構体において、前記一対の係合孔の中央部に形成されている各切り欠け部の下端部には、それぞれ段差部分が形成されていることを特徴とするフレーム構体。
【発明の詳細な説明】
【０００１】
【発明が属する技術分野】
この発明は、垂直フレームの所望位置に水平フレームを取り付けることができるようにしたフレーム構体に関し、特に、極めて簡単かつ強固に水平フレームを取付けることを可能にすると共に、垂直フレームに取り付けられた水平フレームを取り外す作業も極めて容易にできるようにしたフレーム構体に関する。
【０００２】
【従来の技術】
従来、垂直フレームと水平フレームとを組み合わせた構造体は、様々な分野、例えば、スチール棚、建設用足場等で用いられているが、その場合、垂直フレームに水平フレームを確実に取り付ける方法としては、ボルトを用いる方法が汎用されている。また、この他の方法としては、ボルトを用いることなく係合孔を用いて簡単な係合操作により垂直フレームに水平フレームを取り付けるようにしたものも知られている。
【０００３】
【発明が解決しようとする課題】
従来のボルトを用いて水平フレームを取り付ける方法では、十分な取付け強度が得られるとしても、取付け・取り外しにはかなりの手間を要するという問題があった。
また、係合孔を用いて容易に取付けを可能とした方法では、取付け・取り外しは簡単にできるものの、垂直フレームに取り付けた水平フレームにガタツキが起きやすく、また、水平フレームが外れやすいという問題もあった。
【０００４】
本発明は、以上のような数々の問題点を一掃したフレーム構体を提供するものであり、垂直フレームへの水平フレームの取付け・取り外しを簡単に行うことができるだけでなく、垂直フレームに水平フレームを取り付けた場合に、極めて安定かつ強固に取付け状態が保持されるようにしたフレーム構体を提供するものである。
【０００５】
【課題を解決するための手段】
請求項１に記載の発明は、
所定位置に形成された１対の係合孔を有する垂直フレームと、
筐体状の本体と、該本体の前面部に形成された１対の係合片と、該１対の係合片のうちの一方の係合片に隣接して前記前面部に形成された第１の開口と、該第１の開口に対応して前記本体の後面部に形成された第２の開口と、前記本体の側面部に形成された第３の開口とを備え、かつ、前記１対の係合片を前記垂直フレームの１対の係合孔に係合させることにより、前記垂直フレームに装着可能であるアタッチメントと、
端部が下方へ折り曲げられた縁部を有する上側板と、側面板と、下側板とを有し、該下側板を前記アタッチメントの第３の開口に嵌入させて該アタッチメントに装着可能な水平フレームと、
を備えたフレーム構体であって、
前記１対の係合片は、それぞれ前方部分の幅が、付け根部分の幅よりも大きく設定されるとともに、前記１対の係合孔は、それぞれの中央部に前記付け根部分の幅に対応する切り欠け部を有することにより、前記アタッチメントを前記垂直フレームに装着したときに、前記１対の係合片のそれぞれの付け根部分が前記１対の係合孔のそれぞれの中央部の切り欠け部に嵌合され、
かつ、
前記垂直フレームに装着されたアタッチメントに前記水平フレームを装着したのち、更に、ロックピンを前記第１および第２の開口並びに前記一方の係合片が嵌合している切り欠け部を有する係合孔を挿通させることにより、垂直フレームへのアタッチメントの装着およびアタッチメントへの水平フレームの装着状態が固定されることを特徴としている。
ここで、前記１対の係合孔は、水平方向に平行に形成されたものでもよいし、垂直方向に平行に形成されたものでもよい。
【０００６】
請求項４に記載の発明は、
所定位置に形成された１対の垂直方向の係合孔を有する垂直フレームと、
筐体状の本体と、該本体の前部に形成された１対の係合片と、前記本体の側面部に形成された開口とを備え、かつ、前記１対の係合片を前記垂直フレームの１対の係合孔に係合させることにより、前記垂直フレームに装着可能であるアタッチメントと、
端部が下方へ折り曲げられた縁部を有する上側板と、側面板と、下側板とを有し、該下側板を前記アタッチメントの開口に嵌入させて該アタッチメントに装着可能な水平フレームと、
を備えたフレーム構体であって、
前記１対の係合片は、それぞれ前方部分の幅が、付け根部分の幅よりも大きく設定されるとともに、前記１対の係合孔は、それぞれの中央部に前記付け根部分の幅に略等しい切り欠け部を有することにより、前記アタッチメントを前記垂直フレームに装着したときに、前記１対の係合片のそれぞれの付け根部分が前記１対の係合孔のそれぞれの中央部の切り欠け部に嵌合され、
かつ、
前記垂直フレームに装着されたアタッチメントに前記水平フレームを装着したのち、更に、ロックピンを、前記水平フレームの側面板の外側面に接触させつつ、前記一対の係合孔のうちの一方の係合孔に挿通させることにより、前記水平フレームの側面板の内側面をアタッチメントに強く圧接させて、垂直フレームへのアタッチメントの装着状態およびアタッチメントへの水平フレームの装着状態を強固に保持するものである。ここで、一対の係合孔の中央部に形成されている各切り欠け部の下端部に、それぞれ段差部分を設けるのが好適である。
【発明の実施の形態】
本発明によるフレーム構体の実施の形態について、以下、図面を参照して詳細に説明する。
【０００７】
本発明をスチール棚に適用した場合の１実施例の概観を図１６に示す。この図に示されるスチール棚は、水平フレーム１〜１０及び垂直フレーム１１〜１４がスチール棚の外枠フレームを構成し、また、水平フレーム１７及び１８は棚板保持用水平フレームである。そして、これらの棚板保持用水平フレームの上に棚板が載置されることでスチール棚が構成される。ここで、これらの棚板保持用水平フレームは、アタッチメント１９〜２２を介して、垂直フレーム１１、１２，１５、１６上に所定間隔をもって複数形成されている１対の係合孔２３、２４等に取り付けられる。
【０００８】
なお、この図では、分かりやすくするために、スチール棚に棚板を１つだけ設ける場合の例を示しているが、実際の製品では、所望個数の棚を所望位置に設けることになる（なお、この図に示したものでは、垂直フレーム１４と１６の間および垂直フレーム１３と１５の間にも棚板保持用水平フレームを取り付けることができるように構成されている）。
【０００９】
次に、垂直フレームへ棚板保持用水平フレームを取り付けるための構造の詳細に関して、垂直フレーム１１に棚板保持用水平フレーム１７を取り付ける場合を例に挙げて、図１７〜図４を参照して説明する。（なお、他の垂直フレームに棚板保持用水平フレームを取り付ける場合は、上記の場合と同じ構造か、或るいは上記の場合と左右対称な構造になる。）
【００１０】
本実施例において、垂直フレームに棚板保持用水平フレームを取り付ける場合には、まず、垂直フレームにアタッチメントを取付け、次に、このアタッチメントに棚板保持用水平フレームを取り付けるようにしている。
【００１１】
まず、垂直フレーム１１にアタッチメント１９を取り付ける場合の操作を、図１７の拡大図により説明する。
この図において、アタッチメント１９の前部には、垂直フレーム１１上に形成された１対の係合孔２４１，２４２に嵌入するように１対の係合片１９１，１９２が形成されている。参考までに、アタッチメント１９を裏側から見た図を図１８に示す。この図に示されるように、アタッチメント１９の前部には開口１９４が、また、後部には開口１９３が形成されている。更に、アタッチメントの裏側の側面は、すべて開口となっている。
【００１２】
そして、係合片１９１および１９２は、いずれも、その付け根部分の幅Ｔが前方部分の幅Ｆよりも小さく設定されており、また、垂直フレーム１１上に形成されている係合孔は、その中央部においてほぼ幅Ｔにわたって切り欠け部を備えている。更に、アタッチメントの前部には開口１９４が、後部には開口１９３が形成され、これらの開口には後述するロックピンが差し込まれる。
【００１３】
以上のような構造をとることにより、垂直フレーム１１にアタッチメント１９を装着すると、係合片１９１および１９２の付け根部分が、係合孔２４１および２４２の中央部の切り欠け部に嵌合して、図１９に示されるような装着状態となる。なお、この図において、１７は、この装着されたアタッチメント１１に取り付けられる棚板保持用水平フレームであり、下方へ折り曲げられた縁部１７３を有する上側板１７４と、側面板１７５と、切り欠け部１７２を有する下側板１７１を備えている。また、２３は、棚板保持用水平フレームをアタッチメントに取り付けたときに使用する固定用ロックピンである。参考までに、この図を裏側から見た図を図１に示す。
【００１４】
次に、棚板保持用水平フレーム１７を、次のような手順により、垂直フレーム１１に装着されたアタッチメント１９に取り付ける。
棚板保持用水平フレーム１７の下側板１７１には、係合用切り欠け部１７２が形成されており、棚板保持用水平フレーム１７を少し持ち上げながら、アタッチメント１９の後部側壁１９５が切り欠け部１７２に嵌入するようにして下側板１７１をアタッチメント内部に嵌入させてから、棚板保持用水平フレーム１７の上側板の縁部１７３が、アタッチメント１９の左側板１９５（図１９参照）の上部に係止するように棚板保持用水平フレーム１７を下方へいっぱいに押し下げる。
【００１５】
以上のようにして棚板保持用水平フレーム１７をアタッチメント１９に取り付けた状態を図２に示す。この状態において、前述の開口１９３と１９４によって棚板保持用水平フレーム１７の下側板よりも上方に間隙が形成されるので、これらの間隙を通して垂直フレーム１１の係合孔２４２までロックピン２３を貫通させる。これにより、アタッチメントが浮き上がって垂直フレームの係合孔から外れるのを防止するだけでなく、棚板保持用水平フレーム１７が上方へ浮き上がることも防止されるので、棚板保持用水平フレームがアタッチメントから外れるのを防止できる。即ち、垂直フレームへのアタッチメントの装着状態、およびアタッチメントへの棚板保持用水平フレームの装着状態が強固に保持される。参考までに、ロックピンを差し込んだ状態を図３に、また、この状態を裏側から見た図を図４に示す。
【００１６】
以上の説明から明らかなように、本実施例では、ボルト等を用いることなく、ロックピンを差し込むという極めて簡単な操作で水平フレームを垂直フレームに強固に取り付けることができる。
【００１７】
以上の実施例では、垂直フレームに形成する係合孔が水平な形状をしているが、垂直フレームおよびアタッチメントの耐荷重性を高めるべく、係合孔を縦長の形状としてもよい。次に、この場合の実施例について、図５〜図９を参照して説明する。
【００１８】
図５は、縦長形状の係合孔５０１及び５０２が形成された垂直フレーム５０にアタッチメント５１を取り付ける状態を示すものであり、この図の裏側からアタッチメントを見た構造を図６に示す（この図６では、ロックピンが差し込まれる開口５１３を分かりやすく実線で表すために、縦方向に形成されている１対の係合片５１１および５１２のうち、手前側の係合片５１１については、２点鎖線で表している）。この図６に示されるように、アタッチメントの裏側の側面には、棚板保持用水平フレームの下側板１７１が嵌入する開口５１５が形成されている。
【００１９】
参考までに、図７に、垂直フレーム５０にアタッチメント５１を装着した状態と、棚板保持用水平フレーム１７と、ロックピン５２とを示す。この図に示されるように、アタッチメント５１の係合片の付け根部分を、垂直フレーム５０の係合孔の中央部の切り欠け部に嵌合させてから、図４の場合と同様にして棚板保持用水平フレーム１７をアタッチメント５１に装着した後、ロックピン５２をアタッチメントの後部の開口５１４および前部の開口５１３を通して垂直フレーム５０の係合孔５０１に差し込む。
【００２０】
このロックピン５２を差し込むことによって、アタッチメント５１の係合片５１１の付け根部分が、垂直フレーム５０の係合孔５０１の中央部の切り欠け部に嵌合した状態が強固に保持される。また、このとき、アタッチメント５１の筐体内では、ロックピン５２の下端部が棚板保持用水平フレーム１７の下側板１７１の内側にほぼ当接することにより、棚板保持用水平フレーム１７の浮き上がりを防ぎ、アタッチメント５１から外れるのが防止される。
【００２１】
次に、垂直フレームの係合孔を縦長の形状とした場合のもう１つの実施例について、図８により説明する。
この実施例では、図に示されるように、垂直フレーム６０の係合孔６０１および６０２の中央部に形成される切り欠け部の幅が、図５の場合のほぼ２倍あり、かつ、これらの切り欠け部の下端部は、それらの右半分が更に下方へ切り取られて段差部分６０３および６０４を構成している。
【００２２】
そして、垂直フレーム６０に棚板保持用水平フレーム６２を取り付ける際には、まず、アタッチメント６１の係合片６１１および６１２を係合孔６０２および６０１に挿入してから、これらの係合片を右方へ移動して係合孔の切り欠け部の右端に当接させ、これらの係合片の付け根部分の下端部が、段差部分６０３および６０４に当接するように嵌合させる。次に、図７の場合と同様の要領で、棚板保持用水平フレーム６２の下側板６２１をアタッチメントの開口６１３に嵌入させつつ、棚板保持用水平フレーム６２をアタッチメント６１に装着する。
【００２３】
このように装着した状態において、更に、ロックピン６３を、棚板保持用水平フレームム６２の側面板６２２の外側面に接触させつつ係合孔６０１に差し込む。これにより、棚板保持用水平フレームム６２をアタッチメント６１に強く当接させて、垂直フレームの係合孔の切り欠け部へのアタッチメント６１の嵌合を強固に保持するとともに、アタッチメントへの棚板保持用水平フレームの装着状態も強固に保持する。参考までに、全ての手順を終了して取り付けが完了した状態を図９に示す。
【００２４】
なお、以上に説明した各実施例において、様々な構成の変更を施すことも可能である。例えば、図８の実施例においては、垂直フレーム６０の係合孔６０１および６０２には、段差部分６０４および６０３を有する切り欠け部が形成されているが、これらの段差部分を省略した構造としてもよい。即ち、切り欠け部の幅が、図５に示される切り欠け部の幅のほぼ２倍あれば、図８に示されるアタッチメント６１、棚板保持用水平フレーム６２及びロックピン６３を用いて、垂直フレームへの棚板保持用水平フレームの取り付けを行うことができる。
【００２５】
なお、図８の実施例において、係合孔の中央部に形成される切り欠け部の幅を、図５における切り欠け部の幅の２倍よりも大きな幅に設定してもよい。そして、その場合には、係合孔に挿入されるロックピンの厚みをより大きく設定し、このロックピンの挿入により、棚板保持用水平フレームの側面板の内側面が、十分強くアタッチメントの側面に当接するように構成する。
【００２６】
更に、前述の図１９に示される実施例では、垂直フレーム１１はコの字型の断面を有しているが、図５において示されている垂直フレーム５０と同様の断面形状とすることによって、垂直フレームの強度をより高めてもよい。
また、垂直フレームとして、図１０に示されるように、パネル状のものを採用することもできる。
【００２７】
この図では、図１６における垂直フレーム１１および１２の代わりにパネル状の垂直フレーム１１０を、また、垂直フレーム１３および１４の代わりにパネル状の垂直フレーム１１１を用いている。即ち、本発明における垂直フレームは、図１９および図５等に示されるような長尺状のものとして限定的に解釈されるべきものではなく、本明細書において「垂直フレーム」という用語は、図１０に示されるようなパネル状の構造をしたものも含むものと定義する。
【００２８】
また、図１９に示される実施例において、アタッチメントの後部に形成されている開口１９３を、図１１のように大きくすることにより、この図に示されるようにロックピンの形状を楔型にしてもよい。更には、図１２に示されるように、垂直フレーム１１に形成されている係合孔２４１および２４２の中央部の切り欠け部をより深くして、アタッチメントがより安定に係合孔に装着されるようにしてもよい。この場合、アタッチメントの前部及び後部に形成される開口の縦のサイズも、これに合わせて大きくし、ロックピンの形状も、これに合わせて、図１２に示される如く、より厚みの大きいものを採用する。
【００２９】
なお、ロックピンについては、紛失等を防ぐために、アタッチメントと鎖で連結しておくか、或いは、棚板保持用水平フレームと鎖で連結しておくのが便利である。さらには、棚板保持用水平フレームとアタッチメントとロックピンとを鎖で連結した構成としてもよい。
【００３０】
また、図７の実施例において、アタッチメントに装着した棚板保持用水平フレーム１７の浮き上がりをより確実に防止するために、アタッチメントに形成される開口５１４およびロックピン５１の形状を図１３〜図１５に示されるように変更してもよい。これらの図について簡単に説明すると、図１３は、アタッチメントの後部に形成される開口の形状を逆Ｌ字型にしたものであり、図１４は三角形、図１５は四角形にしたものである。
【００３１】
このように構成することによって、いずれもロックピンが、図７の場合よりも広い下端面を有するように構成し、この下端面が、アタッチメント５１の筐体内で棚板保持用水平フレーム１７の下側板１７１の内側に当接することで、棚板保持用水平フレーム１７の浮き上がりを確実に防止して、棚板保持用水平フレームのガタツキやアタッチメントからの脱落を回避できる。
【００３２】
更に、図５および図８に示される実施例では、垂直フレームの係合孔の中央部に形成される切り欠け部は、係合孔の右側へ突出する形で形成されているが、このような構成に代えて、切り欠け部が係合孔の左側へ突出する形のものとしてもよい。そして、その場合には、アタッチメントに形成される開口の位置を左右反転するとともに、この開口に合わせてロックピンを挿入する構造とする。また、棚板保持用水平フレームを装着する方向も反転する（例えば、図７では、棚板保持用水平フレームを、垂直フレームより後側から装着しているが、これに代え、垂直フレームよりも前側から装着するように、棚板保持用水平フレーム及びアタッチメントの構造を反転する）。
【００３３】
以上、本発明の種々の実施例について説明したが、勿論、本発明は、これらのスチール棚に適用した実施例に限定されるものではなく、様々なフレーム構造体に応用できるものである。また、当業者であれば、以上に説明した実施例の他に、この発明の技術思想の範囲で、さまざまな構造的改変を施した実施例を構成することも可能であるが、そのような実施例が本発明の範囲から除外されるものではないことも明らかである。
【００３４】
【発明の効果】
本発明のフレーム構体は、水平フレームを垂直フレームに取り付ける作業を、ボルト等を用いることなく極めて簡単に行うことができ、かつ、その取付け強度及び安定性も十分大きなものが得られる。また、垂直フレームに取り付けられた水平フレームを取り外す作業も極めて簡単に行うことができる。
【図面の簡単な説明】
【図１】アタッチメントの装着状態を裏側から見た図。
【図２】水平フレームの装着状態を示す図。
【図３】ロックピンの挿入図。
【図４】ロックピンの挿入状態を裏側から見た図。
【図５】縦型の係合孔を使用した実施例の説明図。
【図６】同実施例のアタッチメントを示す図。
【図７】同実施例のアタッチメントの装着状態を示す図。
【図８】縦型の係合孔を用いた場合のもう１つの実施例を示す図。
【図９】同実施例において、垂直フレームへの水平フレームの取付けを完了した状態を示す図。
【図１０】パネル状の垂直フレームを用いた実施例を示す図。
【図１１】楔形のロックピンを用いた実施例を示す図。
【図１２】係合孔の中央部の切り欠け部を深くした実施例を示す図。
【図１３】Ｌ字型のロックピンを用いた実施例を示す図。
【図１４】三角柱型のロックピンを用いた実施例を示す図。
【図１５】四角柱型のロックピンを用いた実施例を示す図。
【図１６】本発明の１実施例の概観図。
【図１７】同実施例の垂直フレームとアタッチメントを説明する図。
【図１８】アタッチメントの裏側を説明する図。
【図１９】アタッチメントの装着状態を示す図。
【符号の説明】
１１〜１６，５０，６０，１１０，１１１・・・垂直フレーム
１７，１８，６２・・・水平フレーム
１９〜２１，５１，６１・・・アタッチメント
２４１，２４２，５０１，５０２，６０１，６０２・・・係合孔
１９１，１９２，５１１，５１２６１１，６１２・・・係合片
６０３，６０４・・・段差部分
１９３，１９４，５１３，５１４，５１５，６１３・・・開口
２３，５２，６３・・・ロックピン
【図１】
2004144274.tif 000003
【図２】
2004144274.tif 000004
【図３】
2004144274.tif 000005
【図４】
2004144274.tif 000006
【図５】
2004144274.tif 000007
【図６】
2004144274.tif 000008
【図７】
2004144274.tif 000009
【図８】
2004144274.tif 000010
【図９】
2004144274.tif 000011
【図１０】
2004144274.tif 000012
【図１１】
2004144274.tif 000013
【図１２】
2004144274.tif 000014
【図１３】
2004144274.tif 000015
【図１４】
2004144274.tif 000016
【図１５】
2004144274.tif 000017
【図１６】
2004144274.tif 000018
【図１７】
2004144274.tif 000019
【図１８】
2004144274.tif 000020
【図１９】
2004144274.tif 000021